(57)【要約】      （修正有）【課題】通信装置のポートから光信号を出力する送信部の電源をオン・オフして光心線を判別する判別信号を送信するように構成した光心線判別システムを提供する。【解決手段】光信号を伝送する光心線７と、少なくとも１つ以上のポート３１を有し、このポート３１に接続された光心線７を集線し、光心線７との間で光信号の入出力を行う少なくとも１台の通信装置（集合ＭＣ３）とからなる光ネットワーク１に適用される光心線判別システム１０において、集合ＭＣ３が、ポート３１に接続された光心線７に光信号を出力するレーザ駆動部若しくは発光部を単位時間当たり所定の回数オン・オフして光心線７に判別信号Ｄを出力する制御部を有するように構成する。そして、集合ＭＣ３の制御部に制御装置２１と、光心線７において判別信号Ｄを検出し、判別信号Ｄの単位時間当たりのオン・オフの回数を出力する心線判別器７０とから構成する。【選択図】  図１
2006345375.tif 000002
【特許請求の範囲】
【請求項１】
光信号を伝送する光心線と、
少なくとも１つ以上のポートを有し、前記ポートに接続された前記光心線を集線し、前記光心線との間で前記光信号の入出力を行う少なくとも１台の通信装置とからなる光ネットワークにおいて、
前記通信装置が、前記ポートに接続された前記光心線に光信号を出力する送信部をオン・オフして前記光心線に判別信号を出力する判別信号送信機能を有し、
前記通信装置の前記判別信号送信機能を制御して前記光心線に前記判別信号を送信させる制御装置と、
前記光心線において前記判別信号を検出する心線判別器とから構成されることを特徴とする光心線判別システム。
【請求項２】
前記制御装置が、
前記判別信号を送信する前記通信装置、前記通信装置における前記ポート、および、前記判別信号として送信する信号パターンからなる制御情報を記憶する制御情報記憶手段を有し、
前記制御情報記憶手段から前記制御情報を読み出して、前記制御情報で指定された前記通信装置の前記判別信号送信機能に対して、前記判別信号を送信する前記ポートおよび前記信号パターンを指定し、
前記判別信号送信機能が、前記信号パターンで前記送信部をオン・オフして前記ポートから前記判別信号を送信するように構成されたことを特徴とする請求項１に記載の光心線判別システム。
【請求項３】
前記心線判別器が、
前記判別信号を送信する前記通信装置、前記通信装置における前記ポート、および、前記判別信号として送信する信号パターンからなる制御情報が入力され、前記制御情報を前記制御装置に送信するように構成され、
前記制御装置が、前記心線判別器から送信された前記制御情報から、前記制御情報で指定された前記通信装置の前記判別信号送信機能に対して、前記判別信号を送信する前記ポートおよび前記信号パターンを指定し、
前記判別信号送信機能が、前記信号パターンで前記送信部をオン・オフして前記ポートから前記判別信号を送信するように構成されたことを特徴とする請求項１に記載の光心線判別システム。
【請求項４】
前記心線判別器が、
前記制御情報を記憶する判別器側制御情報記憶手段を有し、
前記光心線から検出された前記判別信号の前記信号パターンと、前記判別器側制御情報記憶手段に記憶された前記制御情報の前記信号パターンとを比較するように構成されたことを特徴とする請求項２または３に記載の光心線判別システム。
【請求項５】
前記信号パターンが、前記送信部が単位時間当たりにオン・オフされる回数であり、
前記信号情報送信手段が、オン・オフの回数が単位時間当たり前記信号パターンの前記回数となるように前記送信部を制御して前記判別信号を送信するように構成されたことを特徴とする請求項２〜４のいずれかに記載の光心線判別システム。
【発明の詳細な説明】
【技術分野】
【０００１】
本発明は、光ネットワークの構築のための工事において、複数本の光心線から目的の光心線を判別するための光心線判別システムに関する。
【背景技術】
【０００２】
光ネットワークは、複数の光心線が束ねられ被覆された光ケーブルで構成されている。集線拠点から加入者までの間は光ケーブルが張られた複数の区間からなり、各区間の境界において、電柱等に配設されたクロージャ内で光心線同士が融着され、集線拠点と加入者との間の光通信回路が構成される。
【０００３】
光心線をクロージャで接続、若しくは、切断する工事においては、工事対象となる光心線を特定する必要がある。すなわち、間違った光心線同士を接続すると光ネットワークが錯綜し、既に加入者に接続されている光心線を切断すると通信ができなくなる虞があるからである。そのため、光ネットワークの工事において、工事対象となる光心線を判別する方法としては、例えば、通信装置の所定のポートに接続された光心線をこのポートから外し、その光心線に特殊光源を接続して所定の周波数で変調された光信号を入力して送信し、クロージャにおいてその光信号を検出して目的の光心線であることの判別を行う方法（例えば、特許文献１参照）や、クロージャ側で接続・切断の工事をする作業者と、集線拠点で待機する作業者が組になり通信装置のポートに対して光心線の挿抜を繰り返すことにより目的の光心線であることの判別を行う方法がとられる。
【０００４】
【特許文献１】特開２００５−９４７２０号公報
【発明の開示】
【発明が解決しようとする課題】
【０００５】
しかしながら、このような光心線の判別方法を用いると、クロージャ側で光心線の接続・切断工事をする作業者だけでなく、通信装置が設置された集線拠点側にも判定用の光信号を目的の光心線に対して入力する作業者や目的の光心線をポートに対して挿抜する作業者が必要となる。また、作業現場と集線拠点の作業者が携帯電話等で連絡を取りながら作業を行う必要もある。そのため、作業者数や作業量が増加して工事のコストが増加するという課題があった。
【０００６】
本発明はこのような課題に鑑みてなされたものであり、通信装置のポートから光信号を出力する送信部をオン・オフして光心線を判別する判別信号を送信するように構成した光心線判別システムを提供することを目的とする。
【課題を解決するための手段】
【０００７】
前記課題を解決するために、本発明に係る光心線判別システムは、光信号を伝送する光心線と、少なくとも１つ以上のポートを有し、このポートに接続された光心線を集線し、光心線との間で光信号の入出力を行う少なくとも１台の通信装置（例えば、実施形態における集合メディアコンバータ３）とからなる光ネットワークに適用されるものであり、通信装置が、ポートに接続された光心線に光信号を出力する送信部（例えば、実施形態におけるレーザ駆動部３３若しくは発光部３４）をオン・オフして光心線に判別信号を出力する判別信号送信機能（例えば、実施形態における制御部３９）を有し、通信装置の判別信号送信機能を制御して光心線に判別信号を送信させる制御装置と、光心線において判別信号を検出する心線判別器とから構成される。
【０００８】
このとき、本発明に係る光心線判別システムにおいて、制御装置が、判別信号を送信する通信装置、この通信装置におけるポート、および、判別信号として送信する信号パターンからなる制御情報（例えば、実施形態における工事情報Ｋ）を記憶する制御情報記憶手段（例えば、実施形態におけるスケジュールデータベース２２）を有し、制御情報記憶手段から制御情報を読み出して、制御情報で指定された通信装置の判別信号送信機能に対して、判別信号を送信するポートおよび信号パターンを指定し、判別信号送信機能が、指定された信号パターンで送信部をオン・オフして指定されたポートから判別信号を送信するように構成されることが好ましい。
【０００９】
あるいは、心線判別器が、判別信号を送信する通信装置、通信装置におけるポート、および、判別信号として送信する信号パターンからなる制御情報が入力され、この制御情報を制御装置に送信するように構成され、制御装置が、心線判別器から送信された制御情報から、制御情報で指定された通信装置の判別信号送信機能に対して、判別信号を送信するポートおよび信号パターンを指定し、判別信号送信機能が、指定された信号パターンで送信部をオン・オフして指定されたポートから判別信号を送信するように構成されることが好ましい。
【００１０】
なお、心線判別器が、制御情報を記憶する判別器側制御情報記憶手段（例えば、実施形態におけるスケジュール記憶部７６）を有し、光心線から検出された判別信号の信号パターンと、判別器側制御情報記憶手段に記憶された制御情報の信号パターンとを比較するように構成されることが好ましい。
【００１１】
このような本発明に係る光心線判別システムにおいては、信号パターンが、送信部が単位時間当たりにオン・オフされる回数であり、信号情報送信手段が、オン・オフの回数が単位時間当たり信号パターンの回数となるように送信部を制御して判別信号を送信するように構成されることが好ましい。
【発明の効果】
【００１２】
本発明に係る光心線判別システムを以上のように構成すると、判別信号を送信するための特別な装置を必要とすることなく、通信装置の送信部を用いて光心線を判別するための判別信号を送信することができる。また、この判別信号の信号パターンを変えることにより、同一の通信装置に接続された異なる光心線に対して同時に判別信号を送信することができるため、作業者は、連続して光心線を判別して工事を行うことができ、作業効率を向上させることができる。
【００１３】
このとき、制御装置から通信装置に対して判別信号を出力させるように制御することにより、通信装置が設置された集線拠点に判別信号を出力させるための作業者を配置する必要がなくなるため、作業効率が向上するとともに作業コストを低減することができる。
【００１４】
あるいは、心線判別器から判別信号を出力させる通信装置やそのポートを入力可能に構成することにより、作業者が作業現場から判別したい光心線に判別信号を送信させることができるので、工事の自由度が向上し作業効率を向上させることができる。
【００１５】
なお、制御情報を心線判別器に記憶させておき、心線判別器で検出した判別信号の信号パターンと記憶された制御情報の判別信号の信号パターンとを比較することにより、目的の光心線であることの判断を心線判別器で行うことができるため、作業者の作業効率を向上させることができる。
【００１６】
また、信号パターンを、送信部を単位時間当たりにオン・オフする回数とすることにより、判別信号の送信を容易に実現することができる。
【発明を実施するための最良の形態】
【００１７】
以下、本発明の好ましい実施形態について図面を参照して説明する。図１は、本発明に係る光心線判別システム１０が適用される光ネットワーク１を示しており、集線拠点４と加入者５との間に敷設される光ケーブル６、および、集線拠点４に設置され加入者５のメディアコンバータ９に対して接続される光ケーブル６（光心線７）を集線して上位ネットワーク２と接続する集合メディアコンバータ３（以下、「集合ＭＣ３」と呼ぶ）から構成されている。
【００１８】
光ケーブル６は、複数の光心線７が束ねられ全体が被覆で覆れて構成されており、分岐や延長が行われることを考慮して複数の区間に分けられて敷設されている。この光ケーブル６の分岐および延長は、電柱等に配設されたクロージャ８において、このクロージャ８に引き込まれる各々の区間の光ケーブル６の光心線７同士を融着若しくは切断することによりで行われる。
【００１９】
集合ＭＣ３は、光心線７を媒体として送受信される光信号と電気信号を相互に変換する複数のメディアコンバータ部３７と、このメディアコンバータ部３７間、若しくは、メディアコンバータ部３７と上位ネットワーク２間でパケット（電気信号）のやり取りを制御するＬ２スイッチ部３８とから構成されている。
【００２０】
メディアコンバータ部３７は、光ケーブル６を構成する光心線７のそれぞれが接続されるポート３１を有している。光心線７からポート３１で受信した光信号はフォトダイオード等で構成される受光部３２で電気信号に変換され、伝送路符号化部３５でデコードされてパケット処理部３６で処理される。反対に、上位ネットワーク２、若しくは、他のポート３１から受信した信号（電気信号）はパケット処理部３６から伝送路符号化部３５でエンコードされてレーザ駆動部３３に渡され、レーザ駆動部３３により発光ダイオード等で構成される発光部３４が制御されて光信号としてポート３１を介して光心線７に送信される。なお、伝送路符号化部３５は、上位ネットワーク２等とやり取りされるパケットの情報（０／１の２値で表現される）と光伝送に適した符号系列とを相互に変換（エンコード
／デコード）するものである。
【実施例１】
【００２１】
それでは、本発明に係る第１実施例として、光心線判別システム１０について説明する。この光心線判別システム１０は、図２に示すように、制御装置２１から集合ＭＣ３に指令信号Ｃを送信し、この指令信号Ｃで指定されたポート３１のレーザ駆動部３３若しくは発光部３４をオン・オフして判別信号Ｄをポート３１から光心線７に送信するものであり、作業者は、光心線７から心線判別器７０により判別信号Ｄを受信して工事（接続、若しくは、切断工事）の対象である光心線７か否かを判別するものである。なお、集線拠点４は複数存在するため、制御装置２１は例えば光ネットワーク1全体を監視するネットワーク監視センタ２０に設置され、この制御装置２１と各々の集合ＭＣ３とは監視ネットワーク４０により接続される。また、集合ＭＣ３は集線拠点４や集合ＭＣ３の管理番号等からなる識別情報（識別番号）で一義的に識別されて管理されている。
【００２２】
制御装置２１から送信された指令信号Ｃは、集合ＭＣ３の制御部３９で受信される。指令信号Ｃは、判別信号Ｄを送信するポート３１の識別情報と信号パターンから構成される。ここで信号パターンとは、単位時間当たりにレーザ駆動部３３若しくは発光部３４をオン・オフする回数である。制御部３９は、指令信号Ｃを受信すると、指定されたポート３１に対して、信号パターンに応じて発光部３４の発光のオン・オフを行うか、若しくは、レーザ駆動部３３の作動・停止を行う。
【００２３】
ところで、光心線７により送受信される光信号は、図３（ａ）に示すように、例えば１００Ｍｂｐｓ〜１Ｇｂｐｓ程度の高い周波数でオン・オフ（点灯・消灯）された信号で構成されている。この光信号は、送受信されるデータがあるときは、そのデータに従ってオン・オフされ、送信されるデータが無いときは、オン・オフが交互に繰り返し送信されており、光心線７を流れている光信号を通常の検出器で検出しようとすると感度が十分対応できず常時点灯しているように検出されてしまう。そのため、制御部３９は、図３（ｂ）に示すように、所定の時間間隔（ミリ秒〜秒のオーダー）で発光部３４（若しくはレーザ駆動部３３）をオン・オフする。これにより、光心線７でこの光信号を受信すると、図３（ｃ）に示すように、ミリ秒〜秒のオーダーのオン・オフ信号（この信号が、後述する判別信号Ｄとなる）として検出することができる。
【００２４】
心線判別器７０は、図４に示すように、光心線７を保持し、この光心線７から判別信号Ｄを検出する検出器７２を有する検出部７１、検出器７２で検出された判別信号Ｄのオン・オフをカウントする処理部７３、および、カウントした結果を表示する表示部７４から構成される。上述のように、目的のポート３１に接続されている光心線７には、図３（ｂ）で示したような光信号（判別信号Ｄ）が送信されているため、検出器７２からは図３（ｃ）に示す信号が検出される。そのため、この信号の単位時間当たりのオン・オフの回数をカウントして表示部７４に表示することにより目的の光心線７か否かを作業者は判別することができる。
【００２５】
それでは、制御装置２１により工事対象のポート３１に接続された光心線７に判別信号Ｄを送信させる処理について図５を用いて説明する。なお、作業員は、工事会社５０等に設置された工事端末５１から工事の日時（開始日時、終了日時）と工事対象の光心線７が接続された集線拠点４および集合ＭＣ３の識別情報、工事対象のポート３１の識別情報、並びに、信号パターンを工事情報Ｋとして入力する。そして、この工事情報Ｋは工事用ネットワーク６０を介して制御装置２１に送られ、スケジュールデータベース２２に記憶されるものとして説明を行う。
【００２６】
制御装置２１は、所定の時間間隔毎に、スケジュールデータベース２２に対して、その時刻において判定信号の送信を開始するポート３１や終了するポート３１が登録されていないかを検索する（ステップＳ１００）。そして、判定信号Ｄの送信開始や終了のポート３１が登録されている場合には（ステップＳ１０１）、指定された集線拠点４の集合ＭＣ３を識別情報により識別し、その集合ＭＣ３に指令信号Ｃ（ポート３１の識別情報および信号パターン）を送信する（ステップＳ１０２）。なお、判定信号の終了指令を行うときは、指令信号Ｃはポート３１の識別情報だけで良い。ステップＳ１０１において、指令信号Ｃを送信するポート３１が無い場合はそのまま処理を終了する。
【００２７】
作業者は予め工事端末５１から工事対象の集線拠点４、集合ＭＣ３およびポート３１を指定することにより、所定の時間（開始日時と終了日時で設定される）にそのポート３１から判別信号Ｄを送信させることができる。このとき、信号パターン（すなわち、単位時間当たりのオン・オフ回数）を指定することができるので、心線判別器７０の表示部７４で判別信号Ｄの単位時間当たりのカウント数を確認することにより目的の光心線７か否かを判別することができる。そのため、光心線７の接続・切断の工事では、集線拠点４若しくは監視センター２０に作業者を配置する必要がなく、作業者が単独で行うことができるため、作業者数や作業量を低減して作業効率を向上させるとともに、作業コストを低減させることができる。
【００２８】
また、集合ＭＣ３の複数のポート３１に対して同時に信号パターンを変えて判別信号Ｄを出力するように動作させることも可能であり、作業者は一度の作業で複数の光心線７の工事を連続して行うことができ、さらに作業効率を向上させることができる。
【００２９】
なお、以上の実施例においては、集合ＭＣ３に制御装置２１から指令信号Ｃを受信してレーザ駆動部３３若しくは発光部３４を制御する制御部３９をひとつ設け、この制御部３９が各々のメディアコンバータ部３７のレーザ駆動部３３若しくは発光部３４を制御するように構成した場合について示したが、図６に示すように、各々のメディアコンバータ部３７に制御部３９を設けて構成することも可能である。この場合、制御装置２１は、工事情報Ｋから判別信号Ｄを出力する集線拠点４および集合ＭＣ３の識別情報とポート３１を得て、その集合ＭＣ３のポート３１を有するメディアコンバータ部３７の制御部３９に指令信号Ｃを送信するように構成される。
【００３０】
また、光心線７を判別するための判別信号Ｄは、レーザ駆動部３３若しくは発光部３４が単位時間当たりにオン・オフされる回数だけではなく、所定の符号化で変調された信号（所定のパターンでオン・オフされる信号）としてレーザ駆動部３３若しくは発光部３４をオン・オフした信号として構成することも可能である。例えば、調歩同期式の信号伝送のように、レーザ駆動部３３若しくは発光部３４のオン・オフによりスタートビット、光心線７の番号、および、ストップビットを順次送信することにより目的の光心線７を心線判別器７０で判別するように構成することや、オンあるいはオフされている時間を変化させてモールス信号のように情報を送信して心線判別器７０で光心線７を判別するように構成することができる。この場合、心線判別器７の処理部７３は符号化された判別信号Ｄを復調して信号パターンを検出し、若しくは、その中に含まれる番号等の情報を取り出して表示するように構成される。
【００３１】
以上のように、集合ＭＣ３の目的とするポート３１から判別信号Ｄを送信することにより、クロージャ８で光心線７の接続若しくは切断の工事を行う作業者は目的の光心線７を判別することができるが、ＰＯＮ（Passive Optical Network）構成のように光スプリッタが設置されてひとつの光心線７から複数の光心線７に分岐するような構成であっても、光スプリッタにより分岐されるまでの光心線７に対しては本実施例により判別することが可能である。
【実施例２】
【００３２】
第１実施例においては、工事端末５１から入力された工事情報Ｋは、制御装置２１に送信されてスケジュールデータベース２２に格納されていたため、目的の光心線７に対して送信されている判別信号Ｄの信号パターンは作業者が記憶している必要があったが、この工事情報Ｋを心線判別器７０に記憶させることにより、信号パターンの確認も心線判別器７０に行わせることができる。このように構成した心線判別器７０′の構成を図７に示す。なお、第１実施例と同一の構成要素については同一の符号を付して説明を省略する。
【００３３】
心線判別器７０′には工事端末５１と接続するための端末インタフェース７５が設けられており、例えば、ＵＳＢケーブル５２により工事端末５１と接続される。工事端末５１は、作業者から入力された工事情報Ｋを制御装置２１に送信すると同時に心線判別器７０′に送信する。そして、心線判別器７０′は工事情報Ｋを受信するとスケジュール記憶部７６（例えば、フラッシュメモリ等の不揮発性メモリで構成される）に記憶する。なお、この心線判別器７０′には、工事情報Ｋの選択等を行うための入力部（キーボードやボタン、タッチパネル等）７７が設けられている。
【００３４】
心線判別器７０′での処理について図８を用いて説明すると、まず、処理部７３′は、スケジュール記憶部７６に記憶された工事情報Ｋの一覧を表示部７４に表示し、作業者は入力部７７から目的とする工事情報Ｋを選択する（ステップＳ１１０）。そして、検出部７１に工事対象の光心線７を保持すると、検出部７２が判別信号Ｄを検出して処理部７３′に出力される（ステップＳ１１１）。判別信号Ｄが検出されると、処理部７３′は単位時間当たりの判別信号Ｄのオン・オフをカウントし、選択された工事情報Ｋの信号パターンと比較する（ステップＳ１１２）。最後に処理部７３′は、比較の結果（一致したか、一致しなかった）を表示部７４に表示する（ステップＳ１１３）。なお、スケジュールデータベース２２に記憶された工事情報Ｋにより集合ＭＣ３のポート３１から判別信号Ｄを送信する処理は第１実施例と同様である。
【００３５】
本発明に係る光心線判別システム１０を以上のように構成すると、作業者は工事情報Ｋを選択して、目的の光心線７から判別信号Ｄを検出することにより自動的にその光心線７が工事対象のものか否かを判別することができるため、工事（工事情報Ｋ）に対する判別信号Ｄの信号パターンの記憶間違いや確認間違いに起因する誤接続・誤切断を防止するとともに、作業者の負担を軽減し、作業効率を向上させることができる。
【実施例３】
【００３６】
以上の第１および第２実施例においては、制御装置２１によりスケジュールデータベース２２に記憶された工事情報Ｋに従って判別信号Ｄを集合ＭＣ３のポート３１から送信するように制御した場合について説明したが、この第３実施例では、心線判別器７０″に無線通信機能を搭載し、作業の都度、心線判別器７０″により無線通信で判別信号Ｄを出力する集合ＭＣ３およびポート３１を選択して制御するように構成した場合について図９〜図１１を用いて説明する。心線判別器７０″は、無線インタフェース７５′を有しており、無線ネットワーク６０′を介して制御装置２１′と通信可能に構成されている。なお、無線インタフェース７５′としては、携帯電話網、無線ＬＡＮ、ＰＨＳ網等が用いられる。
【００３７】
作業者は、心線判別器７０″の入力部７７から工事情報（集合ＭＣ３の識別情報、工事対象のポート３１の識別情報、および、信号パターン）を入力すると（ステップＳ１２０）、処理部７３″は無線インタフェース７５′を用いてこの工事情報Ｋを制御装置２１′に送信する（ステップＳ１２１）。制御装置２１′は工事情報Ｋを受信すると、この工事情報Ｋで指定された集合ＭＣ３に指令信号Ｃを送信するため、指定されたポート３１から判別信号Ｄが送信される。作業者は、検出部７１に工事対象の光心線７を保持すると、検出器７２が判別信号Ｄを検出し処理部７３″に出力される（ステップＳ１２２）。判別信号Ｄが検出されると、処理部７３″は単位時間当たりの判別信号Ｄのオン・オフをカウントし、ステップＳ１２０で入力した信号パターンと比較する（ステップＳ１２３）。最後に処理部７３″は、比較の結果（一致したか、一致しなかった）を表示部７４に表示する（ステップＳ１２４）。
【００３８】
このように、無線通信で集合ＭＣ３のポート３１から出力される判別信号Ｄを制御することにより、作業者は事前に工事情報Ｋを登録する作業が不要になり、作業効率を向上させることができる。特に、工事予定が変更になった場合でも、再度工事情報Ｋを登録し直す必要がなくなり、作業現場から判別信号Ｄの送信を制御できるので、工事の自由度を向上させることができる。
【００３９】
なお、工事の進捗を管理する工事管理システムと連動することにより、心線判別器７０″によりオンラインで工事の進捗状況を管理することも可能である。
【００４０】
ところで、上述のようにクロージャ８は電柱等に設置されていることから、光心線７の接続・切断工事は屋外で行われる場合がある。そのため、心線判別器７で光心線７から判別信号Ｄを検出する作業も屋外で行われる場合があり、検出器７２に対しては外界の光のノイズ（太陽光等）の影響を受ける可能性がある。これに対して、図６に示すように集合ＭＣ３のメディアコンバータ部３７に変調部４０を設け、レーザ駆動部３３に数百〜数ｋＨｚ程度の正弦波等を加えて発光部３４から送信される光信号を変調する（変調された判別信号Ｄを図３（ｄ）に示す）ことにより、心線検出器７でこの変調信号を識別して判別の感度を向上させることができる。
【図面の簡単な説明】
【００４１】
【図１】第１実施例に係る光心線判別システムの構成を示すブロック図である。
【図２】本発明に係る集合ＭＣの構成を示すブロック図である。
【図３】光心線を送受信される光信号を示す説明図であり、（ａ）は通常の信号状態を示し、（ｂ）は、送信部をオン・オフしたときの信号状態を示し、（ｃ）は心線判別器で受信した信号状態を示し、（ｄ）は判別信号が変調された状態を示している。
【図４】第１実施例に係る心線判別器の構成を示すブロック図である。
【図５】第１実施例における制御装置の処理を示すフローチャートである。
【図６】第１実施例において、制御部を集合ＭＣを構成するメディアコンバータ部の各々に設けた場合の構成を示すブロック図である。
【図７】第２実施例に係る心線判別器の構成を示すブロック図である。
【図８】第２実施例に係る心線判別器の処理を示すフローチャートである。
【図９】第３実施例に係る光心線判別システムの構成を示すブロック図である。
【図１０】第３実施例に係る心線判別器の構成を示すブロック図である。
【図１１】第３実施例に係る心線判別器の処理を示すフローチャートである。
【符号の説明】
【００４２】
１  光ネットワーク
７  光心線
３  集合メディアコンバータ（通信装置）
１０  光心線判別システム
２１  制御装置
２２  スケジュールデータベース（制御情報記憶手段）
３１  ポート
３３  レーザ駆動部（送信部）
３４  発光部（送信部）
３９  制御部（判別信号送信機能）
７０  心線判別器
７６  スケジュール記憶部（判別器側制御情報記憶手段）
Ｄ  判別信号
Ｋ  工事情報（制御情報）
【図１】
2006345375.tif 000003
【図２】
2006345375.tif 000004
【図３】
2006345375.tif 000005
【図４】
2006345375.tif 000006
【図５】
2006345375.tif 000007
【図６】
2006345375.tif 000008
【図７】
2006345375.tif 000009
【図８】
2006345375.tif 000010
【図９】
2006345375.tif 000011
【図１０】
2006345375.tif 000012
【図１１】
2006345375.tif 000013